(57)【要約】【課題】所定量の薬液が溜まっているかどうか確認可能にすること。【解決手段】容器（２）からの薬液が流入するに連れて膨張すると共に、薬液が流出した場合に収縮可能な貯留部（４６）と、貯留部（４６）を収容する筐体（２１）と、貯留部（４６）に接触し且つ筐体（２１）に移動可能に支持された操作部材（７１＋８１）と、を備え、操作部材（７１＋８１）が押された場合に、操作部材（７１＋８１）が、第１の位置に比べて押し下げられた第２の位置に移動して、貯留部（４６）が押されて収縮して、貯留部の薬液が対象者に注入され、第２の位置に移動した操作部材（７１＋８１）は、容器（２）から薬液が貯留部（４６）に流入して膨張することに伴って第１の位置に移動し、且つ、操作部材（７１＋８１）を第１の位置に向けて押す付勢部材が設けられていない薬液注入装置（１１）。【選択図】図２
2014226211.tif 000002
【特許請求の範囲】
【請求項１】
薬液が収容された容器に接続されると共に、対象者に薬液を注入する流路に接続され、薬液を貯留可能な貯留部であって、前記容器からの薬液が流入するに連れて膨張すると共に、前記対象者に向けて薬液が流出した場合に収縮可能な前記貯留部と、
前記貯留部を収容する筐体と、
前記貯留部に接触し且つ前記筐体に移動可能に支持され、薬液が注入される対象者が操作可能な操作部材と、
を備え、
前記貯留部が膨張した場合に、前記移動体を介して前記操作部材が押された第１の位置に移動すると共に、
前記操作部材が押された場合に、前記操作部材が、前記第１の位置に比べて押し下げられた第２の位置に移動して、前記貯留部が押されて収縮して、前記貯留部の薬液が前記流路を介して対象者に注入され、
前記第２の位置に移動した前記操作部材は、前記容器から薬液が前記貯留部に流入して膨張することに伴って前記第１の位置に移動し、且つ、前記操作部材を前記第１の位置に向けて押す付勢部材が設けられていない、
ことを特徴とする薬液注入装置。
【請求項２】
前記操作部材と前記筐体との間に配置され、前記操作部材と前記筐体との間で摩擦を発生させる隙間部材と、
前記筐体に支持され、且つ、前記操作部材が前記第１の位置に向かう方向に、前記隙間部材による摩擦力以下の力で前記操作部材を押して、前記隙間部材による前記操作部材の移動時の摩擦抵抗を減少させる抵抗減少部材と、
を備えたことを特徴とする請求項１に記載の薬液注入装置。
【請求項３】
前記筐体に支持され、前記操作部材が前記第２の位置に移動する際に、前記操作部材に接触して、前記操作部材が前記第２の位置に移動して前記貯留部から前記薬液が注入された回数を表示する表示部材と、
を備えたことを特徴とする請求項１または２に記載の薬液注入装置。
【請求項４】
前記移動体に形成された空間であって、前記移動体と前記筐体との間に、前記表示部材が表示する回数を変更させる際に発生する音を反響させる前記空間、
を備えたことを特徴とする請求項３に記載の薬液注入装置。
【発明の詳細な説明】
【技術分野】
【０００１】
本発明は、薬液を患者に注入する薬液注入装置に関し、特に、一時的に所定量の薬液を注入する薬液注入装置に関する。
【背景技術】
【０００２】
患者に薬液を投与するための装置として、下記の特許文献１に記載の技術が従来公知である。
特許文献１としての特開２００２−５８７３９号公報には、患者に薬液を注入するためのワンショット注入器（１）が記載されている。特許文献１のワンショット注入器（１）は、注射器（Ｘ）で第１バルーン（３）に薬液を注入すると、第１バルーン（３）と第２バルーン（４）との弾性力の差から、第１バルーン（３）から第２バルーン（４）に薬液が送られ、ワンショット操作部（７）を操作することで第２バルーン（４）が縮んで第２バルーン（４）内の薬液が患者に注入される。
【０００３】
特許文献１のワンショット注入器（１）では、ワンショット操作部（７）の外側操作筒（７３）が押し下げられると、一体的に内側操作筒（７２）が移動して、内側操作筒（７２）のさらに内側に配置された操作ロッド（７４）を押して、操作ロッド（７４）がピストン弁体（５３）を押す。ピストン弁体（５３）は、第２薬液注入ポンプ（９１）からの薬液管路（９２）から薬液が流入する第２バルーン（４）を押すことで、第２バルーン（４）に収容された薬液が患者に注入される。
薬液注入後、患者が外側操作筒（７３）から指を離すと、操作ロッド（７４）がコイルスプリング（７５）により、押し上げられて、外側操作筒（７３）が元の状態に戻る。このとき、ピストン弁体（５３）は、操作ロッド（７４）から離間して、下降した状態で保持される。ピストン弁体（５３）は、第２バルーン（４）に薬液が流入して第２バルーン（４）が膨らむことに伴って、上昇する。
【０００４】
なお、特許文献１のワンショット注入器（１）では、ワンショット操作部（７）の内部に操作回数カウント構造（８）が設けられており、ワンショット操作部（７）の操作回数が、表示窓（７１ｆ）から表示される。特許文献１の操作回数カウント構造（８）では、内側操作筒（７２）の外周面に操作回数を示す数字が付与されており、外側操作筒（７３）が昇降する度に、内側操作筒（７２）を回転させることで、表示窓（７１ｆ）に対向する数字を切り替えている。
また、特許文献１には、従来技術として、第１薬液注入ポンプ（１０１ａ）からの薬液管路（１０６）と、第２薬液注入ポンプ（１０１ｂ）からの薬液管路（１０７）と、が合流管路（１０４）で合流する薬液注入装置が記載されている。特許文献１に記載の構成では、第１薬液注入ポンプ（１０１ａ）から患者の体内に薬液を所定量ずつ注入しつつ、第２薬液注入ポンプ（１０１ｂ）からの薬液管路（１０７）の途中にワンショット注入器（１０８）を設けて、患者がワンショット注入器（１０８）を操作することで、一時的に所定量の薬液を患者に注入可能に構成されている。
【先行技術文献】
【特許文献】
【０００５】
【特許文献１】特開２００２−５８７３９号公報（「００５２」、「００７３」、「００８１」、「００８５」〜「０１００」、図１〜図８）
【発明の概要】
【発明が解決しようとする課題】
【０００６】
特許文献１に記載された構成では、ワンショット操作部（７）の操作後、コイルスプリング（７５）により、外側操作筒（７３）は、速やかに元の位置に戻るのに対し、第２バルーン（４）が薬液で再び満たされるまでには時間がかかる。したがって、患者や家族、医療従事者は、第２バルーン（４）が薬液で満たされているのか確認することができない問題がある。したがって、患者等が再度薬液を注入しようとしてワンショット操作部（７）を押しても、所定量の薬液が注入されたかどうか確認できず、注入された薬液が不足する恐れがある。
また、特許文献１に記載の技術では、注入された薬液が不足した場合でも、操作回数はカウントされるため、いわゆる空打ちをした場合だけでなく、少量の注入が行われた場合も、「１回」とカウントされてしまう。したがって、正確な注入回数が判らず、医者にとって見れば、患者にどのくらいの量の薬液が注入されたのか確認できない問題もある。
【０００７】
本発明は、所定量の薬液が溜まっているかどうか確認可能にすることを技術的課題とする。
【課題を解決するための手段】
【０００８】
前記技術的課題を解決するために、請求項１に記載の発明の薬液注入装置は、
薬液が収容された容器に接続されると共に、対象者に薬液を注入する流路に接続され、薬液を貯留可能な貯留部であって、前記容器からの薬液が流入するに連れて膨張すると共に、前記対象者に向けて薬液が流出した場合に収縮可能な前記貯留部と、
前記貯留部を収容する筐体と、
前記貯留部に接触し且つ前記筐体に移動可能に支持され、薬液が注入される対象者が操作可能な操作部材と、
を備え、
前記貯留部が膨張した場合に、前記移動体を介して前記操作部材が押された第１の位置に移動すると共に、
前記操作部材が押された場合に、前記操作部材が、前記第１の位置に比べて押し下げられた第２の位置に移動して、前記貯留部が押されて収縮して、前記貯留部の薬液が前記流路を介して対象者に注入され、
前記第２の位置に移動した前記操作部材は、前記容器から薬液が前記貯留部に流入して膨張することに伴って前記第１の位置に移動し、且つ、前記操作部材を前記第１の位置に向けて押す付勢部材が設けられていない、
ことを特徴とする。
【０００９】
請求項２に記載の発明は、請求項１に記載の薬液注入装置において、
前記操作部材と前記筐体との間に配置され、前記操作部材と前記筐体との間で摩擦を発生させる隙間部材と、
前記筐体に支持され、且つ、前記操作部材が前記第１の位置に向かう方向に、前記隙間部材による摩擦力以下の力で前記操作部材を押して、前記隙間部材による前記操作部材の移動時の摩擦抵抗を減少させる抵抗減少部材と、
を備えたことを特徴とする。
【００１０】
請求項３に記載の発明は、請求項１または２に記載の薬液注入装置において、
前記筐体に支持され、前記操作部材が前記第２の位置に移動する際に、前記操作部材に接触して、前記操作部材が前記第２の位置に移動して前記貯留部から前記薬液が注入された回数を表示する表示部材と、
を備えたことを特徴とする。
【００１１】
請求項４に記載の発明は、請求項３に記載の薬液注入装置において、
前記移動体に形成された空間であって、前記移動体と前記筐体との間に、前記表示部材が表示する回数を変更させる際に発生する音を反響させる前記空間、
を備えたことを特徴とする。
【発明の効果】
【００１２】
請求項１に記載の発明によれば、本発明の構成を有しない場合に比べて、所定量の薬液が溜まっているかどうか確認できる。
請求項２に記載の発明によれば、抵抗減少部材を設けない場合に比べて、貯留部への薬液が貯留される抵抗を低減できる。
請求項３に記載の発明によれば、薬液が注入された回数を確認できる。
請求項４に記載の発明によれば、音を反響させる空間を設けない場合に比べて、第２の位置に移動したことを音で確認しやすくすることができる。
【図面の簡単な説明】
【００１３】
【図１】図１は実施例１の薬液注入装置を含む薬液投与装置の全体説明図である。
【図２】図２は薬液注入装置の説明図であり、図２Ａはノブが満量位置に移動した状態の斜視図、図２Ｂは図２Ａの要部断面図、図２Ｃはノブが図２Ｂに示す満量位置から注入実行位置に移動した状態の断面図、図２Ｄは図２Ｃに示す注入実行位置から注入完了位置に移動した状態の説明図である。
【図３】図３は薬液注入装置を構成するケースの説明図であり、図３Ａは図２Ｂに対応する断面図、図３Ｂは図３Ａの矢印ＩＩＩＢ方向から見た図である。
【図４】図４は実施例１の薬液注入装置を構成するシリンダーの説明図である。
【図５】図５は実施例１の薬液注入装置を構成する回転カムの説明図であり、図５Ａは外観図、図５Ｂは断面図、図５Ｃは図５Ｂの矢印ＶＣ方向から見た図である。
【図６】図６は実施例１の薬液注入装置を構成する押棒の説明図であり、図６Ａは外観図、図６Ｂは断面図である。
【図７】図７は実施例１の薬液注入装置を構成する移動体の説明図であり、図７Ａは外観図、図７Ｂは図７ＡのＶＩＩＢ−ＶＩＩＢ線断面図である。
【図８】図８は実施例１の薬液注入装置を構成する操作部の説明図であり、図８Ａは側面図、図８Ｂは図８Ａの矢印ＶＩＩＩＢ方向から見た図、図８Ｃは図８Ａの矢印ＶＩＩＩＣ方向から見た図である。
【図９】図９は本発明の実施例２の薬液注入装置の説明図であり、図９Ａは実施例１の図２Ｂに対応する図、図９Ｂは実施例１の図２Ｃに対応する図である。
【発明を実施するための形態】
【００１４】
次に図面を参照しながら、本発明の実施の形態の具体例（以下、実施例と記載する）を説明するが、本発明は以下の実施例に限定されるものではない。
なお、以下の図面を使用した説明において、理解の容易のために説明に必要な部材以外の図示は適宜省略されている。
【実施例１】
【００１５】
図１は実施例１の薬液注入装置を含む薬液投与装置の全体説明図である。
図１において、実施例１の薬液投与装置１は、薬液の容器の一例としてのポンプ２を有する。ポンプ２の一端部には、ポンプ２内に薬液を充填可能な充填口２ａが形成されている。実施例１では、ポンプ２には、薬液の一例として、手術後の痛み止め用の麻酔液が収容されるが、薬液はこれに限定されず、用途や使用状況等に応じて、任意の薬液を使用可能である。
ポンプ２の他端部には、流路の一例としての供給カテーテル３の一端部が接続されている。供給カテーテル３の途中には、薬液に含まれるエアーや薬液から生じる気泡を除去するフィルター４が配置されている。
【００１６】
供給カテーテル３の他端部には、分岐コネクタ６が接続されている。分岐コネクタ６には、流路の一例としての第１カテーテル７の一端および第２カテーテル８の一端とが接続されている。したがって、分岐コネクタ６は、供給カテーテル３からの薬液を第１カテーテル７および第２カテーテル８に供給可能に接続されている。
実施例１の第１カテーテル７は、持続注入用の流路を構成しており、途中に第１の流量制御部７ａが設けられている。第１の流量制御部７ａは、第１カテーテル７を流れる薬液の流量を制御するものであり、従来公知の市販のものを採用可能であるため、詳細な説明は省略する。
【００１７】
実施例１の第２カテーテル８は、一時注入用の流路を構成しており、途中に第２の流量制御部８ａが配置されている。第２の流量制御部８ａも第１の流量制御部７ａと同様に構成されており、詳細な説明は省略する。
薬液の流動方向に沿って、第２の流量制御部８ａの下流側には、薬液注入装置１１が接続されている。薬液注入装置１１の下流側には、薬液の流れを制御する安全弁１２が配置されている。第１カテーテル７と第２カテーテル８の他端部は、合流コネクタ１６に接続されている。合流コネクタ１６には、合流カテーテル１７の一端部が接続されている。
合流カテーテル１７の他端部には、薬液を注入する対象者の一例としての患者に導入される導入針１８が支持されている。
【００１８】
（薬液注入装置の説明）
図２は薬液注入装置の説明図であり、図２Ａはノブが満量位置に移動した状態の斜視図、図２Ｂは図２Ａの要部断面図、図２Ｃはノブが図２Ｂに示す満量位置から注入実行位置に移動した状態の断面図、図２Ｄは図２Ｃに示す注入実行位置から注入完了位置に移動した状態の説明図である。
図３は薬液注入装置を構成するケースの説明図であり、図３Ａは図２Ｂに対応する断面図、図３Ｂは図３Ａの矢印ＩＩＩＢ方向から見た図である。
図２において、実施例１の薬液注入装置１１は、筐体の一例として、円筒状のケース２１を有する。図２、図３において、ケース２１の上端部は、周面の一部が切り欠かれた形状の切欠部２２が形成されている。
【００１９】
ケース２１は、切欠部２２が形成された部分を含む上端内周面２３が形成されている。上端内周面２３の下方には、上端内周面２３よりも内径が大きな上部内周面２４が形成されている。上部内周面２４の下方には、上部内周面２３よりも内径が大きな中部内周面２６が形成されており、中部内周面２６の下方には、中部内周面２６よりも内径が大きな下部内周面２７が形成されている。
前記上端内周面２３と上部内周面２４との間には、段差状のノブストッパ３１が形成されている。
【００２０】
上部内周面２４と中部内周面２６との境界の段差部は、周方向に対して、鋸歯状に形成された鋸歯面３２により構成されている。図３Ａにおいて、鋸歯面３２は、右方に行くに連れて上方に傾斜する傾斜面３２ａと、傾斜面３２ａの右端と周方向で隣り合う傾斜面３２ａの左端とを接続する上下方向に延びる鉛直面３２ｂと、を有する。なお、実施例１の鋸歯面３２では、周方向に沿って、８組の傾斜面３２ａおよび鉛直面３２ｂが形成されている。
各傾斜面３２ａの左右方向の中央部には、上方に凹んだ形状のガイド溝３３が形成されている。前記鋸歯面３２の下方には、ケース２１の壁面を貫通する１つの窓部３４が形成されている。下部内周面２７の上部には、シリンダーの固定部の一例としてのリング状の溝部３６が形成されている。
【００２１】
図４は実施例１の薬液注入装置を構成するシリンダーの説明図である。
ケース２１の下部には、シリンダー４１が支持されている。シリンダー４１は、ケース２１よりも小径の円筒状に形成されている。シリンダー４１の上端部には、シリンダーの被固定部の一例として、径方向に突出するリング状の凸部４２が形成されている。リング状の凸部４２は、ケース２１のリング状の溝部３６に嵌ることで、シリンダー４１がケース２１に固定される。シリンダー４１の下端部の内周面には、キャップの固定部の一例としての雌ねじ部４３が形成されている。
図２Ｂにおいて、シリンダー４１の内部には、貯留部の一例としてのリザーバー４６が収容される。リザーバー４６は内部に予め設定された量の薬液が貯留可能に構成されている。リザーバー４６は、内部に薬液が流入するに連れて膨張すると共に、薬液が流出した場合に収縮可能に構成されている。
【００２２】
リザーバー４６には、薬液が流入、流出するための接続カテーテル４７の一端部が接続されており、接続カテーテル４７の他端は第２カテーテル８に接続されている。
シリンダー４１の雌ねじ部４３には、円板状のキャップ４８が支持されている。キャップ４８は、シリンダー４１の内部に収容されたリザーバー４６の脱落を防止する。キャップ４８は外周面に、雌ねじ部４３に嵌合する雄ねじ部４８ａが形成されており、中央部に接続カテーテル４７が貫通する開口４８ｂが形成されている。
【００２３】
図５は実施例１の薬液注入装置を構成する回転カムの説明図であり、図５Ａは外観図、図５Ｂは断面図、図５Ｃは図５Ｂの矢印ＶＣ方向から見た図である。
図２において、シリンダー４１の上方には、回転部材の一例として、円筒状の回転カム５１が配置されている。図２、図５において、実施例１の回転カム５１は、ケース２１に回転可能且つケース２１の軸方向に移動可能に支持されている。回転カム５１は、下側の大径部５２と上側の小径部５３とを有する。大径部５２は、中部内周面２６に対応する外径を有し、下端は窓部３４よりも下方まで延びている。実施例１の小径部５３は上部内周面２４に対してリング状の隙間が形成される外径を有する。
【００２４】
回転カム５１の外周面には、大径部５２と小径部５３との境界部分に、第１カム部５４が形成されている。第１カム部５４は、周期的な凹凸形状に形成されている。したがって、周方向に沿って、凸の頂点５４ａから凹の底５４ｂに向かう下降傾斜面５４ｃと、凹の底５４ｂから次の凸の頂点５４ａに向かう上昇傾斜面５４ｄとが交互に８つずつ形成されている。
第１カム部５４には、径方向に突出するカムガイド突起５６が形成されている。カムガイド突起５６は、周方向に対して９０°位相をずらして、４つ配置されている。カムガイド突起５６は、鋸歯面３２に接触可能に構成されている。したがって、カムガイド突起５６は、鋸歯面３２の傾斜面３２ａに沿って移動したり、鉛直面３２ｂに沿って移動可能に構成されている。よって、カムガイド突起５６が傾斜面３２ａに沿って移動する場合は、回転カム５１が周方向に移動し且つケース２１の軸方向に移動し、カムガイド突起５６が鉛直面３２ｂに沿って移動する場合は、回転カム５１がケース２１の軸方向に移動する。
【００２５】
大径部５２の外周面には、窓部３４に対応する位置に回数の表示部材５７が付与されている。実施例１では、表示部材５７としての「０」〜「７」の数字が、周方向に等間隔で印字されている。
図２において、シリンダー４１の上端面と回転カム５１の下端との間には、カム用の付勢部材の一例としてのカム用バネ５８が装着されている。したがって、回転カム５１は上方に常時付勢されている。
【００２６】
図６は実施例１の薬液注入装置を構成する押棒の説明図であり、図６Ａは外観図、図６Ｂは断面図である。
図２において、回転カム５１の小径部５３とケース２１との隙間には、押棒６１が配置されている。図２、図６において、実施例１の押棒６１は、円筒状に形成されている。押棒６１の下端には、第１カム部５４と上下対称（軸方向に対して対称）の凹凸形状の第２カム部６２が形成されている。したがって、第２カム部６２も凸の頂点６２ａや凹の底６２ｂ、下降傾斜面６２ｃ、上昇傾斜面６２ｄを有する。
【００２７】
また、押棒６１の下部の外周面には、径方向に突出する押棒ガイド突起６３が形成されている。実施例１の押棒６１は、押棒ガイド突起６３がガイド溝３３に嵌った状態で支持されている。したがって、押棒ガイド突起６３がガイド溝３３にガイドされることで、押棒６１は、軸方向に移動可能且つ回転不能な状態で支持されている。
なお、実施例１の回転カム５１のカムガイド突起５６がガイド溝３３に嵌った状態では、回転カム５１の凸の頂点５４ａおよび凹の底５４ｂの周方向の位置と、押棒６１の凸の頂点６２ａおよび凹の底６２ｂの周方向の位置と、がずれた状態となり、且つ、回転カム５１の上昇傾斜面５４ｄと押棒６１の上昇傾斜面６２ｄとが接触した状態となるように設定されている。
前記鋸歯面３２、ガイド溝３３、窓部３４、回転カム５１、カム用のバネ５８、押棒６１等により、実施例１の計数機構３２〜６１が構成されている。
【００２８】
図７は実施例１の薬液注入装置を構成する移動体の説明図であり、図７Ａは外観図、図７Ｂは図７ＡのＶＩＩＢ−ＶＩＩＢ線断面図である。
図２において、ケース２１の内部には、移動体の一例としてのスライダ７１が配置されている。図２、図７において、実施例１のスライダ７１は、ケース２１の軸方向に延びる断面十字型の軸部７２を有する。
軸部７２には、シリンダー４１側の端部に円板状の下フランジ７３が形成されている。下フランジ７３の下面は、リザーバー４６の上面に接触可能に構成されている。円板状の下フランジ７３の外周面には、隙間部材の一例としてのＸリング７４が支持されている。Ｘリング７４は、断面が略Ｘ字状で隙間を密閉するためのリング状の弾性部材であり、市販されており従来公知であるため詳細な説明は省略する。
【００２９】
軸部７２には、下フランジ７３の反対側の端部に円板状の上フランジ７６が形成されている。また、上フランジ７６と下フランジ７３との間には、円板状の中間フランジ７７が形成されている。実施例１の中間フランジ７７は、スライダ７１が移動する際の姿勢を安定化させるために設けられている。
したがって、実施例１のスライダ７１では、上フランジ７６と中間フランジ７７との間や、中間フランジ７７と下フランジ７３の間には、空間７８が形成されている。
【００３０】
図８は実施例１の薬液注入装置を構成する操作部の説明図であり、図８Ａは側面図、図８Ｂは図８Ａの矢印ＶＩＩＩＢ方向から見た図、図８Ｃは図８Ａの矢印ＶＩＩＩＣ方向から見た図である。
図２において、スライダ７１の上方には、操作部の一例としてのノブ８１が配置されている。ノブ８１は、上端内周面２３に対応する外径を有する円筒状の円筒部８２を有する。円筒部８２の上面には、円板状の押され部８３が形成されており、患者や医療従事者等が、押され部８３を指で押すことが可能に構成されている。
【００３１】
円筒部８２の下端には、径方向に張り出したリング状の鍔部８４が形成されている。鍔部８４は上部内周面２４に対応する外径を有する。したがって、ノブ８１は、上端内周面２３により、ケース２１の軸方向に移動可能に支持されており、図２Ｂに示す第１の位置の一例としての満量位置と、図２Ｃに示す第３の位置の一例としての注入実行位置と、図２Ｄに示す第２の位置の一例としての注入完了位置との間で移動可能に構成されている。なお、満量位置では、縁部８４とノブストッパ３１とによりノブ８１の抜け止めがされている。また、縁部８４は、ノブ８１が注入位置に向けて押された場合に、スライダ７１の上フランジ７６を押すと共に、押棒６１に接触して押すことが可能に構成されている。
前記スライダ７１やノブ８１等により、実施例１の操作部材７１＋８１が構成されている。
【００３２】
（実施例１の作用）
前記構成を備えた実施例１の薬液投与装置１では、薬液注入装置１１が操作されていない状態では、第１カテーテル７を通じて、第１の流量制御部７ａで予め設定された量の薬液が持続的に注入される。なお、このとき、薬液注入装置１１のリザーバー４６が満量まで充填されていない場合、第２カテーテル８を通じてリザーバー４６に薬液が供給され、充填される。
【００３３】
手術後の患者が痛みを感じたりして一時的に麻酔液を注入したい場合のように、薬液を一時的に注入する場合に、図２Ｂに示す満量位置においてノブ８１が押されると、ノブ８１の押し下げと一体的にスライダ７１が押し下げられる。スライダ７１が押し下げられると、リザーバー４６が押される。したがって、図２Ｃに示す注入実行位置に移行して、リザーバー４６に貯留された薬液が押し出され、第２カテーテル８を通じて患者に注入される。なお、リザーバー４６から薬液が押し出されるとリザーバー４６は収縮する。
ノブ８１が押し下げられる際に、ノブ８１が押棒６１に接触して、押棒６１が下降する。押棒６１が押し下げられる際に、押棒６１の上昇傾斜面６２ｄと回転カム５１の上昇傾斜面５４ｄとが接触しており、回転カム５１は、カムガイド突起５６が鉛直面３２ｂに押し当てられる方向に力を受ける。よって、回転カム５１は、カムガイド突起５６が鉛直面３２ｂにガイドされて、回転せずに下降する。このとき、回転カム５１の下降に伴って、カム用バネ５８は弾性的に縮む。
【００３４】
ノブ８１が注入位置の近くまで押し下げられて、カムガイド突起５６が鉛直面３２ｂの下端まで到達すると、カムガイド突起５６における鉛直面３２ｂによる回転方向の拘束が解除され、回転カム５１は周方向に回転可能な状態となる。このとき、回転カム５１は、カム用バネ５８の弾性力で満量位置側に向かう力を受けると共に、回転カム５１の凸の頂点５４ａと押棒６１の凹の底６２ｂとがずれた状態であるため、回転カム５１は、上昇傾斜面５４ｄが上昇傾斜面６２ｄに案内されて、周方向に回転し且つ満量位置側に移動する。そして、回転カム５１は、回転カム５１の凸の頂点５４ａと押棒６１の凹の底６２ｂとが一致して止まるまで回転する。したがって、図２Ｃに示す注入実行位置では、カムガイド突起５６が鉛直面３２ｂの下端を乗り越えて、次の傾斜面３２ａに移行した状態となる。
【００３５】
そして、ノブ８１から指が離されて、ノブ８１を押し下げる力が作用しなくなると、カム用バネ５８の力で、回転カム５１が上方に押される。したがって、カムガイド突起５６が次の傾斜面３２ａにガイドされて上方に移動しつつ回転し、カムガイド突起５６が次の鉛直面３２ｂに接触するまで回転カム５１が回転する。なお、回転カム５１の回転に伴って、窓部３４に対向する表示部材５７が切り替わり、表示される数字が１増える。
よって、図２Ｄに示す注入完了位置に移動する。
なお、鋸歯面３２や回転カム５１、押棒６１を使用して、ノブ８１が押されるたびに表示部材５７が切り替わっていく構成は、例えば、特許文献１にも同様の類似した構成が記載されており、従来公知の種々の構成を採用可能であるため、詳細な図示およびこれ以上の詳細な説明は省略する。
【００３６】
実施例１の薬液注入装置１１では、注入完了位置において、ノブ８１やスライダ７１を満量位置に向けて移動させる力を作用させる部材が設けられていない。すなわち、特許文献１に記載の従来技術のような、ノブ８１を満量位置に戻すコイルスプリングが設けられていない。したがって、ノブ８１は、指を離した瞬間には満量位置に戻らない。そして、リザーバー４６に薬液が流入し、リザーバー４６が膨張するに連れて、スライダ７１およびノブ８１が満量位置に向けて移動する。
したがって、実施例１の薬液注入装置１１では、ノブ８１の位置は、リザーバー４６に収容された薬液の量に連動している。よって、患者や医療従事者等は、ノブ８１の位置を見るだけで、リザーバー４６に収容されている薬液の量が満量であるか否かを容易に確認することができる。よって、ノブ８１の位置から、リザーバー４６がまだ満量まで充填されていないことや、前回の薬液の注入から十分な時間間隔が開いていないことを、認識することができる。
【００３７】
よって、薬液の量が不十分な状態で、薬液を再注入することが抑制されやすくなり、薬液が注入されない状態で表示部材５７が増加していく状況、いわゆる空打ちの発生も抑制されやすくなる。したがって、患者に投与された薬液の実際の量を、数字から医師等が確認しやすくなる。
また、実施例１の薬液注入装置１１では、特許文献１に記載の構成に比べて、ノブ８１を満量位置に戻す部材が設けられていないため、部品点数を削減したり、部品を設置するスペースを省略することができる。よって、薬液注入装置１１を低コスト化、小型化することができる。
【００３８】
さらに、実施例１の薬液注入装置１１では、スライダ７１にＸリング７４が装着されており、Ｘリング７４とシリンダー４１との間の摩擦でスライダ７１の移動抵抗が作用する。したがって、例えば、患者等が薬液注入装置１１を落とした場合、Ｘリング７４が設けられていない場合、衝撃等でスライダ７１およびノブ８１が移動する恐れがあるが、実施例１では、これが抑制されている。
また、実施例１の薬液注入装置１１では、スライダ７１は、軸部７２とフランジ７３，７６，７７とからなる構成となっており、フランジ７３，７６，７７の間には空間７８が形成されている。したがって、凸の頂点５４ａと凹の底６２ｂが一致するように回転カム５１が回転する場合に、回転カム５１の上昇傾斜面５４ｄと押棒６１の下降傾斜面６２ｃとが接触する際に発生する音や、カムガイド突起５６が次の鉛直面３２ｂに接触する際に発生する音のような、いわゆるノック音が、空間７８が設けられていない場合に比べて、反響しやすい。すなわち、患者等のノブ８１を操作している人が、注入完了位置まで押し下げたことを、指の感触だけでなく、音でも認識しやすくなる。よって、空間７８が設けられていない場合に比べて、ノブ８１を注入完了位置まで確実に押し下げやすく、ノブ８１の押し下げが不十分な状態、すなわち、薬液の注入量が所定量よりも少ない状況が発生することを低減しやすくなっている。
【実施例２】
【００３９】
図９は本発明の実施例２の薬液注入装置の説明図であり、図９Ａは実施例１の図２Ｂに対応する図、図９Ｂは実施例１の図２Ｃに対応する図である。
次に本発明の実施例２の説明を行うが、この実施例２の説明において、実施例１の構成要素に対応する構成要素には同一の符号を付して、その詳細な説明を省略する。この実施例２は、下記の点で前記実施例１と相違しているが、他の点では前記実施例１と同様に構成されている。
【００４０】
図９において、実施例２の薬液注入装置１１では、シリンダー４１とスライダ７１の中間フランジ７７との間に、抵抗減少部材の一例としてのコイルバネ９１が配置されている。実施例２のコイルバネ９１は、カム用バネ５８よりも外径が小さいコイルバネにより構成されており、カム用バネ５８と同軸且つ内側に配置されている。また、実施例２のコイルバネ９１は、図９Ｂに示す注入完了位置の状態まで縮んだ場合にスライダ７１を満量位置に向かう方向に押す弾性力、すなわち、最も大きな弾性力でも、Ｘリング７４とシリンダー４１との間の摩擦力よりも小さくなるように弾性係数や自然長等が設定されている。
【００４１】
（実施例２の作用）
前記構成を備えた実施例２の薬液注入装置１１では、コイルバネ９１は、Ｘリング７４の摩擦力よりも小さな力で、スライダ７１を満量位置側に押している。実施例１，２の構成では、収縮したリザーバー４６が膨張する際に、Ｘリング７４における摩擦が抵抗となり、リザーバー４６に薬液が再充填される速度が低下する恐れがある。これに対して、実施例２のコイルバネ９１は、リザーバー４６が膨張する際にスライダ７１が移動する方向に力を作用させている。すなわち、コイルバネ９１は、Ｘリング７４による摩擦抵抗を減少させている。よって、リザーバー４６の膨張の抵抗を抑制することができ、薬液が再充填される速度、時間が遅くなることを低減できる。
【００４２】
また、実施例２の薬液注入装置１１では、コイルバネ９１がカム用バネ５８の内側に配置されている。したがって、コイルバネ９１とカム用バネ５８とが、軸方向で異なる位置に配置される場合に比べて、薬液注入装置１１全体の軸方向の長さを短くすることができる。したがって、薬液注入装置１１の大型化を抑制することができる。
なお、実施例２では、コイルバネ９１の弾性力は、Ｘリング７４における摩擦力よりも小さく設定されており、Ｘリング７４によるスライダ７１が移動することを抑制する機能は残っている。したがって、実施例１と同様に、薬液注入装置１１が落下した場合等に衝撃でＸリング７４が移動することも抑制可能である。また、スライダ７１やノブ８１は、コイルバネ９１の弾性力だけでは、満量位置に向けて移動せず、ノブ８１の位置でリザーバー４６の充填量を確認することも可能である。
【００４３】
以上、本発明の実施例を詳述したが、本発明は、前記実施例に限定されるものではなく、特許請求の範囲に記載された本発明の要旨の範囲内で、種々の変更を行うことが可能である。
例えば、ノブ８１とスライダ７１を別体の構成としたが、これに限定されず、ノブ８１とスライダ７１とを一体の部材で構成することも可能である。
また、スライダ７１に空間７８を設けることが望ましいが、空間７８を設けない構成とすることも可能である。
【００４４】
さらに、計数機構３２〜６１を設けることが望ましいが、設けない構成とすることも可能である。また、計数機構３２〜６１の構成を、例えば、注入実行位置や注入完了位置に移動した場合に接触するスイッチを設け、スイッチに接触した回数をデジタル表示する構成のように、機械式の計数機構だけでなく、電子式の計数機構を採用することも可能である。
また、Ｘリング７４を設けることが望ましいが、設けない構成とすることも可能である。さらに、Ｘリングに替えて、Ｏリングやスペーサ等、同様の機能を有する部材に替えることも可能である。
さらに、シリンダー４１とキャップ４８とが別体の構成を例示したが、一体に構成することも可能である。
【符号の説明】
【００４５】
２…容器、
８…流路、
１１…薬液注入装置、
２１…筐体、
４６…貯留部、
５７…表示部材、
７１＋８１…操作部材、
７４…隙間部材、
７８…空間、
９１…抵抗減少部材。
【図１】
2014226211.tif 000003
【図２】
2014226211.tif 000004
【図３】
2014226211.tif 000005
【図４】
2014226211.tif 000006
【図５】
2014226211.tif 000007
【図６】
2014226211.tif 000008
【図７】
2014226211.tif 000009
【図８】
2014226211.tif 000010
【図９】
2014226211.tif 000011